(57)【要約】【課題】スロット内に異なる位相変調方式が採用された信号を評価する。【解決手段】入力処理部１２で被測定信号ａをシンボルデータＩ、Ｑに変換し、スロット検出部３０でシンボルデータＩ、Ｑの値から各スロットの範囲を検出し、解析領域区分部３２で各スロットの範囲を第１の位相変調方式が採用された第１の解析領域１０と第２の位相変調方式が採用された第２の解析領域１１とに区分する。第１の信号解析部３５で第１の解析領域に含まれるシンボルデータＩ、Ｑに基づいてスロットにおける第１の解析領域内における第１の位相変調方式で変調された信号を解析する。第２の信号解析部３６で第２の解析領域に含まれるシンボルデータＩ、Ｑに基づいてスロットにおける第２の解析領域内における第２の位相変調方式で変調された信号を解析する。第１、２の信号解析部で得られた各解析結果を表示器１４に表示する。【選択図】    図１
2004328503.tif 000002
【特許請求の範囲】
【請求項１】
時間軸方向に互いに異なる第１、第２の位相変調方式で変調された信号が組込まれた複数のスロット（９）が時分割多重化された被測定信号（ａ）における各スロットの信号を解析する信号解析装置であって、
前記被測定信号をシンボルデータＩ、Ｑに変換して出力する入力処理部（１２）と、
前記入力処理部から出力されたシンボルデータＩ、Ｑの値から前記被測定信号における各スロットの範囲を検出するスロット検出部（３０）と、
前記検出された各スロットの範囲を前記第１の位相変調方式が採用された第１の解析領域（１０）と前記第２の位相変調方式が採用された第２の解析領域（１１）とに区分する解析領域区分部（３２）と、
前記第１の解析領域に含まれるシンボルデータＩ、Ｑに基づいて前記各スロットにおける第１の解析領域内における前記第１の位相変調方式で変調された信号を解析する第１の信号解析部（３５）と、
前記第２の解析領域に含まれるシンボルデータＩ、Ｑに基づいて前記各スロットにおける第２の解析領域内における前記第２の位相変調方式で変調された信号を解析する第２の信号解析部（３６）と、
前記第１、２の信号解析部で得られた各解析結果を表示器（１４）に表示出力する表示出力部（３９）と
を備えた信号解析装置。
【請求項２】
前記第１の位相変調方式はπ／４シフトＱＰＳＫであり、前記第２の位相変調方式は１６ＱＡＭであることを特徴とする請求項１記載の信号解析装置。
【請求項３】
前記表示出力部は、前記第１、２の信号解析部で得られた各解析結果を表示器の表示画面における互いに異なる領域に表示出力することを特徴とする請求項１又は２記載の信号解析装置。
【発明の詳細な説明】
【０００１】
【発明の属する技術分野】
本発明は、位相変調された信号が組込まれた複数のスロットが、時分割多重化された被測定信号における各スロットの信号を解析する信号解析装置に関する。
【０００２】
【従来の技術】
ＰＨＳ（Ｐｅｒｓｏｎａｌ  Ｈａｎｄｙ  ｐｈｏｎｅ  Ｓｙｓｔｅｍ）において、図６（ａ）に示す基地局１と各移動局２との間で送受信される信号３には、図６（ｂ）に示すように多数のフレーム４が含まれる。さらに、各フレーム４内には、図７に示すように、基地局１から例えば４台の移動局２へ個別に送信する各信号が組込まれた４つのスロット５と、４台の移動局２から基地局１へ送信する各信号が組込まれた４つのスロット６がＴＤＭＡ（Ｔｉｍｅ  Ｄｉｖｉｓｉｏｎ  Ｍｕｌｔｉｐｌｅ  Ａｃｃｅｓｓ  時分割多元アクセス）方式で組込まれている。
【０００３】
現在実用化されているＰＨＳにおいては、１フレーム４の時間幅が５ｍｓで、１つのスロット５、６の時間幅が６２５μｓである。基地局１から４台の移動局２に対して５ｍｓ間隔で各種の情報が６２５μｓのスロット５に組込まれたバースト信号として図７に示すタイミングで送信される。各移動局２は基地局１から６２５μｓのスロット５に組込まれたバースト信号を受信した時刻から２．５ｍｓ後に自局の送信情報を６２５μｓのスロット６に組込んだバースト信号として、フレーム４に組込んで基地局１に送信する。
【０００４】
なお、基地局１から４台の移動局２に対して送信する各信号の周波数と４台の移動局２から基地局１へ送信する各信号の周波数は等しい。
【０００５】
さらに、現在実用化されているＰＨＳにおいては、基地局１と４台の移動局２との間で送受信される情報は、π／４シフトＱＰＳＫの変調方式で位相変調された状態で、信号３における６２５μｓの各スロット５に組込まれている。
【０００６】
基地局１と各移動局２との間で送受信される各種の情報は複数種類のチャネルに分割されて、各チャネルが６２５μｓの各スロット５、６に組込まれて送受信される。チャネルの種類は大きく分けて基地局１と各移動局２とで交換される制御情報を組込んだ制御チャネルと、音声や文字や画像等の本来送受信すべき情報を組込んだ情報チャネル（ＴＣＨ）とで構成されている。
【０００７】
図８は、基地局１から各移動局２へ送信される各情報チャネル（ＴＣＨ）のスロット５の構成を示す図である。位相変調方式を採用した場合におけるシンボル速度が例えば１９２ｋｓｐｓにおいては、π／４シフトＱＰＳＫの変調方式を採用した場合、２ビットで１シンボルに相当するので、位相変調した場合の情報（データ）の伝送速度は１９２ｋｓｐｓ×２＝３８６ｋｂｐｓとなる。この場合、６２５μｓの各スロット５の符号長は３８６ｋｂｐｓ×６２５μｓ＝２４０ｂｉｔとなり、各スロット５のシンボル長は２４０／２＝１２０シンボルとなる。
【０００８】
先頭に、２シンボルのランプビットＲが設けられ、次に、１シンボルのステータスシンボルＳＳ、３シンボルのプリアンブルＰＲ、８シンボルの同期ワードＵＷ、２シンボルのチャネル情報ＣＩ、８シンボルの低速ＡＣＣＨを指定する情報が続く。そして、８０シンボルの送信すべき情報（データ）Ｉ、８シンボルの誤り検査用ビットＣＲＣが設定される。なお、スロット５相互間に８シンボルのガードビットが設けられている。
【０００９】
図９はこの基地局１から各移動局２へ送信される情報の位相変調方式に採用されたπ／４シフトＱＰＳＫにおけるＩＱ座標上で示した変調信号の信号空間図である。
【００１０】
π／４シフトＱＰＳＫはＱＰＳＫと同様に１シンボル時刻毎に２ビットずつ情報を伝送する４値伝送方式である。しかし、このπ／４シフトＱＰＳＫは１シンボル時刻毎にπ／４（４５°）位相回転する搬送波軸を用いている。したがって、図９に示すように、シンボルデータＩ、ＱをＩＱ座標上で合成した各信号点７は、偶数番目と奇数番目の各シンボルにおいて図中の白丸と黒丸とを交互にとる。このように変調方式としてπ／４シフトＱＰＳＫを採用することにより、信号点７の遷移において原点を通過しないので非線形伝送路に強い特徴を有する。
【００１１】
このような変調方式としてπ／４シフトＱＰＳＫが採用された基地局１と各移動局２との間で送受信される信号３における各スロット５、６に含まれる信号が変調に対する各種規格にあった信号であるかを検査する信号解析装置が実用化されている。
【００１２】
【発明が解決しようとする課題】
しかしながら、上述した信号解析装置においてもまだ解消すべき次のような課題があった。
【００１３】
近年、ＰＨＳにおいても、基地局１と各移動局２との間で画像や動画像等の大量の情報（データ）を短時間で高速に送受信する必要性が高まっている。搬送波の周波数を変更せずに情報（データ）の伝送速度（ｂｐｓ）を上昇させる手法として、位相変調方式を多値変調方式に変調することが考えられる。具体的には、例えば、π／４シフトＱＰＳＫを１６ＱＡＭに変更すればよい。
【００１４】
図１１は１６ＱＡＭの位相変調方式におけるＩＱ座標上で示した変調信号の信号空間図である。この１６ＱＡＭは１シンボル時刻毎に４ビットずつ情報を伝送する１６値伝送方式である。したがって、図１１に示すように、シンボルデータＩ、ＧをＩＱ座標上で合成した各信号点８は１６箇所に現れる。
【００１５】
この場合、位相変調方式を採用した場合におけるシンボル速度が１９２ｋｓｐｓにおいては、１６ＱＡＭの変調方式を採用した場合、４ビットで１シンボルに相当するので、位相変調した場合の情報（データ）の伝送速度は１９２ｋｓｐｓ×４＝７６８ｋｂｐｓとなる。この場合、６２５μｓの各スロット５の符号長は７６８ｋｂｐｓ×６２５μｓ＝４８０ｂｉｔとなり、各スロット５のシンボル長は４８０／４＝１２０シンボルとなる。
【００１６】
このように、位相変調方式として、１６ＱＡＭを採用することにより従来の倍の速度で情報（データ）を送信可能である。
【００１７】
しかしながら、１つのスロット５、６内で、高速で情報（データ）を送信する必要のある部分は、図８の情報チャネル（ＴＣＨ）における８０シンボルの送信すべき情報（データ）Ｉ及びこの情報（データ）Ｉに関連する部分のみである。他のランプビットＲ、ステータスシンボルＳＳ、同期ワードＵＷ等の制御情報は高速で送信する必要はない。なお、各移動局２から基地局１へ送信する情報（データ）はさほど高速性は要求されない。
【００１８】
そこで、図１０に示すように、６２５μｓ、１２０シンボルの情報チャネル（ＴＣＨ）のうち、基地局１と各移動局２との間で送受信される信号３の５ｍｓの各フレーム４に組込まれる６２５μｓの各スロット９における、２シンボルのランプビットＲ、合計１３シンボルのステータスシンボルＳＳとプリアンブルＰＲ、８シンボルの同期ワードＵＷとの合計２３シンボル分を前半領域１０とする。また、１シンボルのチャネル情報ＣＩ、８シンボルの低速ＡＣＣＨを指定する情報、８０シンボルの送信すべき情報（データ）Ｉ、４シンボルの誤り検査用ビットＣＲＣとの合計８９シンボル分を後半領域１１とする。なお、後半領域１１の後に８シンボルのガードビットが設けられている。
【００１９】
そして、前半領域１０を従来のπ／４シフトＱＰＳＫで位相変調し、後半領域１１を新規の１６ＱＡＭで位相変調することが考えられる。
【００２０】
したがって、この前半領域１０と後半領域１１とで位相変調方式が異なる各スロット９が時分割多重化された基地局１から各移動局２へ送信される信号３において、各スロット９に含まれる各領域１０、１１に含まれる各信号が変調に関する各種規格にあった信号であるかを検査する必要が生じる。
【００２１】
本発明はこのような事情に鑑みてなされたものであり、たとえ１スロット内に異なる位相変調方式が採用された信号が含まれていたとしても、各信号を分離して評価できる信号解析装置を提供することを目的とする。
【００２２】
【課題を解決するための手段】
本発明は、時間軸方向に互いに異なる第１、第２の位相変調方式で変調された信号が組込まれた複数のスロットが時分割多重化された被測定信号における各スロットの信号を解析する信号解析装置である。
【００２３】
そして、この信号解析装置は、被測定信号をシンボルデータＩ、Ｑに変換して出力する入力処理部と、入力処理部から出力されたシンボルデータＩ、Ｑの値から被測定信号における各スロットの範囲を検出するスロット検出部と、検出された各スロットの範囲を第１の位相変調方式が採用された第１の解析領域と第２の位相変調方式が採用された第２の解析領域とに区分する解析領域区分部と、第１の解析領域に含まれるシンボルデータＩ、Ｑに基づいて各スロットにおける第１の解析領域内における第１の位相変調方式で変調された信号を解析する第１の信号解析部と、第２の解析領域に含まれるシンボルデータＩ、Ｑに基づいて各スロットにおける第２の解析領域内における第２の位相変調方式で変調された信号を解析する第２の信号解析部と、第１、２の信号解析部で得られた各解析結果を表示器に表示出力する表示出力部とを備えている。
【００２４】
このように構成された信号解析装置においては、入力された被測定信号は入力処理部でシンボルデータＩ、Ｑに変換される。次に、スロット検出部にて、シンボルデータＩ、Ｑの値に基づいて被測定信号における各スロットの範囲を検出する。具体的には、シンボルデータＩ、Ｑの値の立上り位置を検出する。各スロットの範囲が、第１の位相変調方式が採用された第１の解析領域と第２の位相変調方式が採用された第２の解析領域とに区分される。この第１の解析領域と第２の解析領域とのスロット内の位置（ビット位置、シンボル位置）は予め与えられている。
【００２５】
そして、第１、第２の信号解析部にて、第１、第２の解析領域に含まれる各シンボルデータＩ、Ｑに基づいて各スロットにおける第１、第２の解析領域の第１、第２の位相変調方式で変調された各信号が解析される。各解析結果は表示器に表示出力される。
【００２６】
また、別の発明は上述した発明の信号解析装置において、第１の位相変調方式はπ／４シフトＱＰＳＫであり、第２の位相変調方式は１６ＱＡＭである。
【００２７】
さらに別の発明は、上述した発明の信号解析装置において、表示出力部は、第１、２の信号解析部で得られた各解析結果を表示器の表示画面における互いに異なる領域に表示出力する。
【００２８】
【発明の実施の形態】
以下、本発明の一実施形態を図面を用いて説明する。
図１は本発明の一実施形態に係る信号解析装置の概略構成を示すブロック図である。この実施形態に係る信号解析装置が測定対象とするＰＨＳシステム及び被測定信号のスロット構成図は、図６、図１０に示すＰＨＳシステム及びスロット構成図と同じであるので詳細説明を省略する。
【００２９】
この実施形態に係る信号解析装置は、基地局１から出力された図１０に示したスロット９が組込まれた被測定信号ａが入力され、入力された被測定信号ａからシンボルデータＩ、Ｑを出力する入力処理部１２と、この入力処理部１２から出力されたシンボルデータＩ、Ｑを用いて被測定信号ａにおける各スロット９の前半領域１０及び後半領域１１の各信号の解析を実行するデータ処理部１３と、データ処理部１３で得られた被測定信号ａにおける前半領域１０及び後半領域１１の各信号の解析結果を表示する表示器１４とで構成されている。
【００３０】
図１０に示したように、基地局１と各移動局２との間で送受信される信号３である被測定信号ａにおける５ｍｓの各フレーム４に組込まれる６２５μｓの各スロット９における、２３シンボル分の前半領域１０はπ／４シフトＱＰＳＫで位相変調され、８９シンボル分の後半領域１１は１６ＱＡＭで位相変調されている。
【００３１】
高周波の被測定信号ａは入力端子１５を介して入力処理部１２内に入力され、減衰器１６で信号レベルが調整されたのち、周波数変換部１７で局部発振器（ＬＯＯＳＣ）７からの周波数信号に基づいて例えば１６ＭＨｚの中間周波数に周波数変換された後、バンドパスフィルタ１９で不要周波数成分が除去され、Ａ／Ｄ変換器２０で例えば６４ＭＨｚのサンプリング周波数でＡ／Ｄ変換される。
【００３２】
Ａ／Ｄ変換されたデジタルの被測定信号ａは一対のＤＢＭ（Ｄｏｕｂｌｅ  Ｂａｌａｎｃｅ  Ｍｉｘｅｒ）２１、２２へ入力される。一方のＤＢＭ２１には発振器２３からサイン波データが入力され、他方のＤＢＭ２２には発振器２３から９０°移相器２４を介したコサイン波データが入力される。したがって、デジタルの被測定信号ａはＩ（同相成分）データとＱ（直交成分）データとに直交復調され、同時にベースバンド変換される。
【００３３】
ＩデータとＱデータとはローパスフィルタ２５、２６で不要周波数成分が除去され、周波数変換部２７、２８で１９８ｋＨｚのＩデータとＱデータ、すなわちシンボル伝送速度が１９８ｋｓｐｓのシンボルデータＩ、Ｑに変換される。シンボル伝送速度が１９８ｋｓｐｓのシンボルデータＩ、Ｑは、例えばＮフレーム分、Ｉ、Ｑデータメモリ２９へ書込まれる。このＩ、Ｑデータメモリ２９に書込まれたシンボルデータＩ、Ｑは順次読出されて次のデータ処理部１３へ入力される。
【００３４】
例えば、ＤＳＰ（Ｄｉｇｉｔａｌ  Ｓｉｇｎａｌ  Ｐｒｏｃｅｓｓｏｒ）で構成されたデータ処理部１２へ入入力されたシンボルデータＩ、Ｑはスロット検出部３０へ入力される。スロット検出部３０は、スロット９相互間に設けられた無信号の８シンボルのガードビットに続く、ランプビットＲを検出することによって、順次入力されるシンボルデータＩ、Ｑにおける各スロット９の開始位置と終了位置とからなる範囲を検出して、順次入力されるシンボルデータＩ、Ｑをスロット９単位毎でスロット波形メモリ３１へ格納する。
【００３５】
したがって、スロット波形メモリ３１内には、スロット９相互間の無信号である８シンボルのガードビットを含めてそれぞれ１２０シンボル長のスロット９のそれぞれ１２０個のシンボルデータＩ、Ｑが記憶されている。
【００３６】
解析領域区分部３２は、スロット波形メモリ３１に記憶されている１２０シンボル長のスロット９におけるπ／４シフトＱＰＳＫの位相変調方式が採用された第１の解析領域としての前半領域１０と、１６ＱＡＭの位相変調方式が採用された第２の解析領域としての後半領域１１とに区分する。具体的には、スロット９の先頭から２３シンボル目までの２３シンボルを前半領域１０とし、２４シンボル目から１１２シンボル目までの８９シンボルを後半領域１１とする。解析領域区分部３２は区分した前半領域１０を前半領域メモリ３３へ書込むと共に、区分した後半領域１１を後半領域メモリ３４へ書込む。
【００３７】
第１の信号解析部３５は、前半領域メモリ３３に書込まれた２３シンボル分のシンボルデータＩ、Ｑに基づいてスロット９における前半領域１０内におけるπ／４シフトＱＰＳＫの位相変調方式で変調された信号を解析する。
【００３８】
また、第２の信号解析部３６は、後半領域メモリ３４に書込まれた８９シンボル分のシンボルデータＩ、Ｑに基づいてスロット９における後半領域１１内における１６ＡＭの位相変調方式で変調された信号を解析する。
【００３９】
第１、第２の信号解析部３５、３５は、各シンボルデータＩ、Ｑを用いてそれぞれの位相変調方式に対応した変調解析（コンスタレーション）、変調誤差、振幅誤差、位相誤差、原点オフセット、変調精度等の信号解析を実施する。これらの各信号解析方法を１６ＱＡＭの位相変調方式を例にして図２を参照して説明する。
【００４０】
変調解析（コンスタレーション）は、図２（ａ）に示すように、８９組のシンボルデータＩ、ＱをＩＱ座標上で合成した１６個の各信号点８を求める。変調誤差（ＥＶＭ  エラー・ベクトル・マグニチュード）は、図２（ｂ）に示すように、ＩＱ座標上における理論的な信号点４１と実測された信号点８との間のエラー・ベクトルの大きさを絶対値で示したものである。
【００４１】
振幅誤差（ＭＥ）は、図２（ｂ）に示すように、ＩＱ座標上における原点と理論的な信号点４１までの理論ベクトルの絶対値と、原点と実測された信号点８までの実測ベクトルの絶対値との差で示される。位相誤差（ｄｅｇ）は、図２（ｂ）に示すように、ＩＱ座標上における原点と理論的な信号点４１までの理論ベクトルと、原点と実測された信号点８までの実測ベクトルとの角度φで示される。
【００４２】
原点オフセットは、図２（ｄ）に示すように、ＩＱ座標上における測定された１６個の信号点８から求められる測定原点が理論的な原点に対してどの程度ずれているかを示すものである。変調精度は、図２（ｃ）に示すように、ＩＱ座標上で合成した各信号点８のバラツキの程度を統計的に求めたものである。
【００４３】
なお、π／４シフトＱＰＳＫの位相変調方式で変調された信号に対する信号解析も１６ＱＡＭの位相変調方式で変調された信号に対する信号解析とほぼ同じである。
【００４４】
第１、第２の信号解析部３５、３６で得られた前半領域１０と後半領域１１における上述した各解析結果は解析結果メモリ３８へ個別に書込まれるとともに、解析結果合成部３７へ送出される。解析結果合成部３７は、前半領域１０と後半領域１１における上述した各解析結果を合成又は平均化して、スロット９単位の解析結果を作成して解析結果メモリ３８へ書込む。その結果、解析結果メモリ３８内には、前半領域１０の解析結果と、後半領域１１の解析結果と、これらを合成したスロット９単位の解析結果とが記憶されている。
【００４５】
表示出力部３９は、例えば操作パネル等の操作部４０を用いた操作者の指示に基づいて、解析結果メモリ３８に記憶された各解析結果を読出して、表示器１４に表示出力する。
【００４６】
図３は各解析結果が表示出力された表示器１４の表示画面４２の一例を示す図である。この例においては、表示画面４２の上段に、前半領域１０のπ／４シフトＱＰＳＫの変調解析（コンスタレーション）４３と、後半領域１１の１６ＱＡＭの変調解析（コンスタレーション）４４とが表示されている。
【００４７】
表示画面４２の下段に、前半領域１０のπ／４シフトＱＰＳＫの変調誤差、振幅誤差、位相誤差、原点オフセット等の解析結果と、後半領域１１の１６ＱＡＭの解析結果と、前半領域１０と後半領域１１とを合成したスロット９全領域の解析結果との解析結果一覧表４５が表示されている。
【００４８】
図４は各解析結果が表示出力された表示器１４の表示画面４２の他の例を示す図である。この例においては、表示画面４２の上段に、前半領域１０のπ／４シフトＱＰＳＫの変調解析（コンスタレーション）４３と後半領域１１の１６ＱＡＭの変調解析（コンスタレーション）４４とを合成したスロット９全領域の変調解析（コンスタレーション）４６が表示されている。
【００４９】
この場合、全領域の変調解析（コンスタレーション）４６において、π／４シフトＱＰＳＫの信号点７と１６ＱＡＭの信号点８とを観察者が区別可能なように、π／４シフトＱＰＳＫの信号点７を白丸で表示し、１６ＱＡＭの信号点８を黒丸で表示している。
表示画面４２の下段に、図３と同様に、解析結果一覧表４５が表示されている。
【００５０】
図５は各解析結果が表示出力された表示器１４の表示画面４２のさらに別の例を示す図である。この例においては、表示画面４２の上段に、前半領域１０のπ／４シフトＱＰＳＫの変調解析（コンスタレーション）４３と、後半領域１１の１６ＱＡＭの変調解析（コンスタレーション）４４とが表示されている。表示画面４２の下段に、図３と同様に、解析結果一覧表４５が表示されている。
【００５１】
この場合、１６ＱＡＭの変調解析（コンスタレーション）４４内に、ＩＱ座標上における前述した理論的な信号点４１が中心に位置する１６の領域を示すテンプレート４７が表示されている。このように、表示画面４２中にテンプレート４７を信号点８と共に表示することにより、測定された信号点８の理論的な信号点４１からの誤差（変調精度）を視覚的に確認できる。また、測定された信号点８がばらつく場合において、ばらつきの程度を視覚的に確認できる。
【００５２】
このように構成された信号解析装置においては、入力された図１０に示すπ／４シフトＱＰＳＫの変調方式が採用された前半領域１０と１６ＱＡＭの変調方式が採用された後半領域１１とが組込まれた複数のスロット９が時分割多重化された被測定信号ａは入力処理部１２でシンボル伝送速度が１９２ｋｓｐｓであるシンボルデータＩ、Ｑに変換される。
【００５３】
データ処理部１３のスロット検出部３０にて、シンボルデータＩ、Ｑの値に基づいて被測定信号ａにおける１２０シンボルの各スロット９の範囲が検出される。そして、スロット９の範囲が、π／４シフトＱＰＳＫの位相変調方式が採用された２３シンボルの前半領域１０と１６ＱＡＭの位相変調方式が採用された後半領域１１とに区分される。
【００５４】
そして、第１、第２の信号解析部３５、３６にて、前半領域１０、後半領域１１に含まれる各シンボルデータＩ、Ｑに基づいてスロット９における前半領域１０、後半領域１１のπ／４シフトＱＰＳＫ、１６ＱＡＭで変調された各信号が解析される。
【００５５】
変調解析（コンスタレーション）、変調誤差、振幅誤差、位相誤差、原点オフセット、変調精度等の変調方式毎の各信号解析は、例えば、操作パネル等の操作部４０を用いた操作者の指示に基づいて、図３、図４、図５に示すように表示器１４に変調方式毎に区別して表示出力される。
【００５６】
このように、たとえ１つのスロット９内に異なる位相変調方式が採用された信号が含まれていたとしても、各信号を分離して評価できる。
【００５７】
なお、本発明は上述した実施形態に限定されるものではない。実施形態における信号解析装置の解析対象の被測定信号ａの各スロット９の前半領域１０、後半領域１１で採用される各位相変調方式の組合せはπ／４シフトＱＰＳＫと１６ＱＡＭとに設定したが、他の位相変調方式の組合せであってもよい。例えば、ＱＰＳＫと１６ＱＡＭとの組合せや、ＱＰＳＫと１２ＱＡＭとの組合せであってもよい。
【００５８】
さらに、ＰＨＳ以外の他の通信シスレムで採用されている位相変調された信号にも適用できることは言うまでもない。
【００５９】
【発明の効果】
以上説明したように、本発明の信号解析装置においては、たとえスロット内に異なる位相変調方式が採用された信号が含まれていたとしても、各信号を分離して評価できる。
【図面の簡単な説明】
【図１】本発明の一実施形態に係わる信号解析装置の概略構成を示すブロック図
【図２】同実施形態の信号解析装置における信号解析方法を示す図
【図３】同実施形態の信号解析装置における表示器に表示された信号解析結果を示す図
【図４】同じく同実施形態の信号解析装置における表示器に表示された信号解析結果を示す図
【図５】同じく同実施形態の信号解析装置における表示器に表示された信号解析結果を示す図
【図６】ＰＨＳの基本構成を示す模式図
【図７】基地局と移動局との間で送受信される信号における各フレームの構成を示す図
【図８】基地局と移動局との間で送受信される信号における各フレーム内のスロット構成を示す図
【図９】π／４シフトＱＰＳＫにおけるＩＱ座標上の信号点を示す図
【図１０】基地局と移動局との間で送受信される信号における各フレーム内のスロット構成を示す図
【図１１】１６ＱＡＭにおけるＩＱ座標上の信号点を示す図
【符号の説明】
１…基地局、２…移動局、３…信号、４…フレーム、７，８，４１…信号点、９…スロット、１０…前半領域、１１…後半領域、１２…入力処理部、１３…データ処理部、１４…表示器、１７，２７，２８…周波数変換部、２９…Ｉ、Ｑデータメモリ、３０…スロット検出部、３２…解析領域区分部、３５…第１の信号解析部、３６…第２の信号解析部、３７…解析結果合成部、３８…解析結果メモリ、３９…表示出力部、４０…操作部、４３，４４，４６…変調解析（コンスタレーション）、４５…解析結果一覧表
【図１】
2004328503.tif 000003
【図２】
2004328503.tif 000004
【図３】
2004328503.tif 000005
【図４】
2004328503.tif 000006
【図５】
2004328503.tif 000007
【図６】
2004328503.tif 000008
【図７】
2004328503.tif 000009
【図８】
2004328503.tif 000010
【図９】
2004328503.tif 000011
【図１０】
2004328503.tif 000012
【図１１】
2004328503.tif 000013